(57)【要約】【課題】種々のイベントその他の目的で床面を形成するために構築される仮設ステージにおける梁装置を提供する。【解決手段】縦横方向に離間して立設した支柱(3)を梁装置(4)により連結した支持構造体(1)に対して、床パネル(2)の側壁(6)の底部を前記梁装置(4)の軸方向に沿って搭載する仮設ステージにおいて、前記梁装置(4)は、両端部に前記支柱に着脱自在な固着手段(10)を設けた梁軸部材(7)と、該梁軸部材の上部に固設された支持軸部材(8)と、該支持軸部材の両端部に位置して軸方向に移動自在な補助支持部材(12)を備えており、支持軸部材(8)の上部に形成された主搭載部(13a)と、移動可能な補助支持部材(12)の上部に形成された補助搭載部(13b)により床パネル(2)の側壁底部を支持するように構成している。【選択図】図５
2018053425.tif 000002
【特許請求の範囲】
【請求項１】
支持構造体に床パネルを縦横に敷設して成る仮設ステージに関して、
前記支持構造体(1)は、縦横方向に離間して立設した支柱(3)のうち縦横方向に隣り合う支柱を梁装置(4)により着脱自在に連結することにより構築されており、
前記床パネル(2)は、平面視を矩形に形成された側壁(6)の底部を前記梁装置(4)の軸方向に沿って搭載される構成において、
前記梁装置(4)は、両端部に前記支柱に着脱自在な固着手段(10)を設けた梁軸部材(7)と、該梁軸部材の上部に固設された支持軸部材(8)と、該支持軸部材の両端部に位置して軸方向に移動自在な補助支持部材(12)を備えており、
前記支持軸部材(8)の上部に形成された主搭載部(13a)と前記補助支持部材(12)の上部に形成された補助搭載部(13b)により床パネル(2)の側壁底部を支持するように構成すると共に、前記補助支持部材(12)の移動を介して、前記補助搭載部(13b)を固着手段(10)の上方空間に干渉しない位置から該固着手段(10)の上方位置に移動させるように構成して成ることを特徴とする仮設ステージにおける梁装置。
【請求項２】
前記補助支持部材(12)は、前記支持軸部材(8)の端部に伸縮自在に嵌入された伸縮管(15)を構成し、前記支持軸部材の外側に位置する伸縮管の外側端部の上部に座部材(16)を設けており、前記座部材により前記補助搭載部(13b)を形成して成ることを特徴とする請求項１に記載の仮設ステージにおける梁装置。
【請求項３】
前記補助支持部材(12)を構成する伸縮管(15)に伸縮ロック装置(18)を設けており、
前記伸縮ロック装置(18)は、伸縮管の側壁から出没自在かつ突出方向に付勢された係止片(19)と、該係止片を挿通させるように前記支持軸部材(8)の軸方向に間隔をあけて形成された複数の係止孔(20)により構成されて成ることを特徴とする請求項２に記載の仮設ステージにおける梁装置。
【発明の詳細な説明】
【技術分野】
【０００１】
本発明は、種々のイベントその他の目的で床面を形成するために構築される仮設ステージにおける梁装置に関する。
【背景技術】
【０００２】
公園や競技場等の屋外又は屋内において、種々のイベント等を開催する際、舞台その他の床面を形成するステージが構築されている。
【０００３】
このようなステージは、構築と解体が可能な仮設ステージとすることが好ましい。このため、従来、解体可能に構築された支持構造体に床パネルを縦横に敷設した仮設ステージが提案されている。
【０００４】
前記支持構造体は、縦横方向に離間して支柱を立設すると共に、縦横方向に隣り合う支柱を梁装置により着脱自在に連結することにより構築されている。前記床パネルは、平面視を矩形に形成された側壁の長手方向に延びる底部を前記梁装置の軸方向に沿って搭載されている。
【０００５】
下記の特許文献１は、本出願人が提案した仮設ステージにおける梁装置を開示している。この梁装置は、該装置の両端部に支柱に着脱自在に固着される固着手段を設けると共に、上部に搭載部を形成した軸部材を備えており、前記軸部材の搭載部に床パネルの側壁底部を搭載するように構成している。
【先行技術文献】
【特許文献】
【０００６】
【特許文献１】特許第２９９９９５８号公報
【発明の概要】
【発明が解決しようとする課題】
【０００７】
特許文献１により提案した従来の梁装置は、前記軸部材により、隣り合う支柱の間で軸方向に延びる搭載部を形成するので、床パネルの側壁底部を長手方向にわたり好適に支持することができる。
【０００８】
ところで、例えば、梁装置を支柱に着脱自在に固着する固着手段に関して、梁装置の顎部材を支柱のフランジに嵌合した状態で、該顎部材とフランジを貫通する楔孔に楔を打ち込むことにより緊結する楔式の緊結装置が構成されている場合、上方からハンマー等の工具で楔を打ち込むための開放空間が必要となる。因みに、楔式の緊結装置ではない別形式の固着手段が構成されている場合でも、梁装置の固着手段を支柱に固着する際、工具等を挿入するための開放空間が必要である。
【０００９】
このため、従来の梁装置においても、前記搭載部を形成する軸部材は、固着手段の上方位置まで延設されておらず、固着手段の上方空間を開放している。
【００１０】
しかしながら、縦横方向に隙間なく密に敷設された床パネルは、通常、隣り合う床パネルを支柱の上端の上方位置で接合させられており、従来の梁装置では、固着手段の上方に位置する床パネルの接合部を支持することができない。つまり、床パネルの側壁底部を全長にわたって搭載させ支持することができないという問題がある。
【００１１】
本発明は、上記に鑑み、床パネルの側壁底部を支持する梁装置の搭載部に関して、該装置に固定された主搭載部と移動自在な補助搭載部により構成し、主搭載部と補助搭載部により床パネルの側壁底部を長手方向にわたり支持するように構成した梁装置を提供するものであり、上記楔式の緊結装置等の固着手段を支柱に固着する際は、該固着手段の上方空間を開放しているが、固着後に床パネルを搭載するときは、固着手段の上方位置においても床パネルの側壁底部を支持することができるようにした装置を構成することを課題としている。
【課題を解決するための手段】
【００１２】
そこで、本発明が手段として構成したところは、支持構造体に床パネルを縦横に敷設して成る仮設ステージに関して、前記支持構造体は、縦横方向に離間して立設した支柱のうち縦横方向に隣り合う支柱を梁装置により着脱自在に連結することにより構築されており、前記床パネルは、平面視を矩形に形成された側壁の底部を前記梁装置の軸方向に沿って搭載される構成において、前記梁装置は、両端部に前記支柱に着脱自在な固着手段を設けた梁軸部材と、該梁軸部材の上部に固設された支持軸部材と、該支持軸部材の両端部に位置して軸方向に移動自在な補助支持部材を備えており、前記支持軸部材の上部に形成された主搭載部と前記補助支持部材の上部に形成された補助搭載部により床パネルの側壁底部を支持するように構成すると共に、前記補助支持部材の移動を介して、前記補助搭載部を固着手段の上方空間に干渉しない位置から該固着手段の上方位置に移動させるように構成して成る点にある。
【００１３】
本発明の好ましい実施形態において、前記補助支持部材は、前記支持軸部材の端部に伸縮自在に嵌入された伸縮管を構成し、前記支持軸部材の外側に位置する伸縮管の外側端部の上部に座部材を設けており、前記座部材により前記補助搭載部を形成している。
【００１４】
好ましくは、前記補助支持部材を構成する伸縮管に伸縮ロック装置を設けており、前記伸縮ロック装置は、伸縮管の側壁から出没自在かつ突出方向に付勢された係止片と、該係止片を挿通させるように前記支持軸部材の軸方向に間隔をあけて形成された複数の係止孔により構成されている。
【発明の効果】
【００１５】
本発明によれば、梁装置４は、補助支持部材１２を移動することにより補助搭載部１３ｂを固着手段１０の上方空間に干渉しないように位置させることにより、固着手段１０を支柱３に固着する作業を行い、このようにして梁軸部材７により支柱３、３を連結した後は、必要に応じて、補助支持部材１２を移動することにより補助搭載部１３ｂを所望の位置に定置させることにより、支持軸部材８に搭載される床パネル２の側壁底部を長手方向にわたり主搭載部１３ａと補助搭載部１３ｂの両者により好適に支持することができるという効果がある。
【図面の簡単な説明】
【００１６】
【図１】本発明の１実施形態に係る梁装置を使用することにより構築された仮設ステージの１例を示す斜視図である。
【図２】本発明の１実施形態を示しており、（Ａ）は梁装置を示す斜視図、（Ｂ）は梁装置を支柱に固着した状態を示す斜視図である。
【図３】梁装置における伸縮管を収縮させた状態を示しており、（Ａ）は斜視図、（Ｂ）は断面図である。
【図４】梁装置における伸縮管を伸長させた状態を示しており、（Ａ）は斜視図、（Ｂ）は断面図である。
【図５】梁装置の第１使用例を示す正面図である。
【図６】梁装置の第２使用例を示す正面図である。
【図７】梁装置の第２使用例を示す正面図である。
【発明を実施するための形態】
【００１７】
以下図面に基づいて本発明の好ましい実施形態を詳述する。
【００１８】
図１は、仮設ステージの１例を示しており、仮設ステージは、支持構造体１に床パネル２を縦横に敷設することにより構築される。
【００１９】
前記支持構造体１は、地面等の上に縦横方向に離間して立設した支柱３と、縦横方向に隣り合う支柱３を着脱自在に連結する梁装置４により構築されている。図面には、縦横方向の１方向に梁装置４を配置した状態を示しているが、梁装置４を縦横方向の両方向に配置しても良い。また、図示省略しているが、支柱３の下方から梁装置４を支持する方杖部材を設けることが好ましく、更には、４本の支柱３を対角線方向に連結するブレス部材を設けることが好ましい。
【００２０】
床パネル２は、矩形板状の床板５に側壁６を垂設することにより、平面視を矩形の枠組み状とした側壁６を備えており、該側壁６の底部を長手方向にわたり前記梁装置４の軸方向に沿って搭載される。
【００２１】
図２に示すように、梁装置４は、金属製の丸パイプから成る梁軸部材７と、該梁軸部材７の上部に沿って平行に配置された金属製の角パイプから成る支持軸部材８を備えており、梁軸部材７の両端近傍に位置する連結片９ａと、両端の間に位置する連結片９ｂ（図５ないし図７参照）を溶接等で固着することにより支持軸部材８を梁軸部材７の上部に固設している。
【００２２】
前記梁軸部材７の両端部には、支柱３に着脱自在に固着される固着手段１０が設けられている。図例の場合、図２（Ｂ）に示すように、固着方式として楔式緊結装置が構成されており、支柱２に固設したフランジ１１に固着手段１０の上下顎部材を嵌合し、該顎部材とフランジを貫通する楔孔に楔を打ち込むことにより緊結する構成とされており、固着手段１０をフランジ１１に固着する際、該固着手段１０の上方には開放空間が形成される。因みに、図例のような楔式の緊結装置とは異なる別の形式の固着装置が構成されていても良く、その場合でも、固着手段１０を支柱３に固着する際、工具等を挿入するための開放空間が上方に形成される。
【００２３】
前記支持軸部材７は、両端部に位置して軸方向に移動自在な補助支持部材１２を備えており、支持軸部材７の上面により主搭載部１３ａを形成すると共に、補助支持部材１２の上面により補助搭載部１３ｂを形成している。これにより、梁装置４に搭載される床パネル２は、側壁６の底部を長手方向にわたって主搭載部１３ａと補助搭載部１３ｂにより支持される。
【００２４】
前記主搭載部１３ａに加えて、支持軸部材７は、両側部から上向きに突設された係合片１４を設けており、該支持軸部７の幅方向（長手方向に交差する方向）に隣接して敷設される一対の床パネル２の側壁６、６を相互に接合した状態で、前記主搭載部１３ａにより支持すると共に、係合片１４、１４の間に嵌入させるように構成している。
【００２５】
図３及び図４に示すように、前記補助支持部材１２は、支持軸部材８の端部に伸縮自在に嵌入された金属製の角パイプから成る伸縮管１５を構成し、支持軸部材８の端部よりも外側に位置する伸縮管１５の外側端部の上部に座部材１６を設け、該座部材１６により前記補助搭載部１２を形成している。図示実施形態の場合、前記伸縮管１５の外側端部の上面と両側面に門形の金属板から成る座部材１６を被冠すると共に溶接等で固着することにより、該座部材１６の上面により補助搭載部１３ｂを形成している。
【００２６】
このような座部材１６を設けることにより、補助搭載部１３ｂの高さ位置が主搭載部１３ａとほぼ面一となるように形成され、床パネル２の側壁６の底部を長手方向にわたり同じ高さ位置で支持することができる。しかも、図３に示すように、伸縮管１５を支持軸部材８に最も収縮させたとき、前記座部材１６が支持軸部材８の端面に当接するストッパ１７を形成する。
【００２７】
前記補助支持部材１２を構成する伸縮管１５は、伸縮ロック装置１８を設けており、図３に示すように伸縮管１５を収縮させた位置に移動したときや、図４に示すように伸縮管１５を伸長させた位置に移動したとき、伸縮移動を不能とするようにロックする。
【００２８】
前記伸縮ロック装置１８は、伸縮管１５の両側壁から出没自在かつ突出方向に付勢された係止片１９と、該係止片１９を挿通させるように支持軸部材８の両側壁に軸方向に間隔をあけて形成された複数の係止孔２０により構成されており、図例の場合、軸方向に間隔をあけて配置された第１係止孔２０ａと、第２係止孔２０ｂと、第３係止孔２０ｃが配置されている。
【００２９】
図示実施形態の場合、伸縮管１５の内部に装入したＵ字形ないしコ字形の板バネから成るスプリング２１の両端部に外向きのピンを設けると共に、該ピンを伸縮管１５の両側壁から挿通孔を介して突出させることにより係止片１９、１９を構成し、該係止片１９、１９を支持軸部材８の両側壁に対向して開設された係止孔２０、２０に挿通させている。従って、作業者が一対の指先等により両係止片１９、１９を摘まんで挟持することにより係止孔２０、２０から支持軸部材８の内部に没入させると、伸縮管１５を伸縮させることができ、伸縮移動により係止片１９、１９が何れかの係止孔２０、２０に臨むと、スプリング２１により係止片１９、１９が自動的に係止孔２０、２０に挿通されて係止し、伸縮移動不能とするようにロックする。
【００３０】
係止孔２０の個数や間隔は、目的に応じて設計変更可能であるが、図示実施形態の場合、後述する目的により、係止片１９を第１係止孔２０ａに挿入係止したとき伸縮管１５が収縮位置に移動された状態で補助支持部材１２の補助搭載部１３ｂを第１位置Ｐ１に停止し、係止片１９を第２係止孔２０ｂに挿入係止したとき伸縮管１５が中間伸長位置に移動された状態で補助支持部材１２の補助搭載部１３ｂを第２位置Ｐ２に停止し、係止片１９を第３係止孔２０ｃに挿入係止したとき伸縮管１５が最大伸長位置に移動された状態で補助支持部材１２の補助搭載部１３ｂを第３位置Ｐ３に停止するように、３段階による伸縮位置が可能となるように構成されている。
【００３１】
（梁装置の取付固着）
梁装置４は、伸縮ロック装置１８の係止片１９を第１係止孔２０ａに挿通係止させ、伸縮管１５を完全に収縮させることにより、補助支持部材１２の補助搭載部１３ｂを固着手段１０の上方空間に干渉しない第１位置Ｐ１に停止した状態で、梁軸部材７の固着手段１０を支柱３に固着される。
【００３２】
補助搭載部１３ｂを第１位置Ｐ１に停止させることにより、固着手段１０の上方空間が開放されているので、工具等を使用することにより、該固着手段１０を支柱３に固着することができる。
【００３３】
（梁装置の第１使用例）
図５は、梁装置４の第１使用例を示しており、支持軸部材８に搭載される床パネル２の側壁６は、底部を長手方向にわたり主搭載部１３ａに支持されると共に、底部の長手方向端部６ａを支柱３の上端部の上方に位置させる場合を示している。従来技術に関して上述したように、縦横方向に隙間なく密に敷設される床パネル２は、通常、隣り合う床パネル２、２を支柱３の上端の上方位置で接合させられるので、側壁底部の長手方向端部６ａが支柱３の直上に位置することになる。
【００３４】
そこで、第１使用例の場合、梁装置４は、上述のように補助支持部材１２を収縮させた状態で、梁軸部材７の固着手段１０を支柱３に固着した後、図５に示すように、伸縮管１５を最大伸長位置まで伸長させると共に係止片１９を第３係止孔２０ｃに挿通係止することによりロックし、補助搭載部１３ｂを固着手段１０の上方空間が含まれる支柱３の上方位置とされた第３位置Ｐ３に位置させられる。
【００３５】
従って、この状態で床パネル２を梁装置４に搭載すると、床パネル２の側壁底部は、長手方向にわたり支持軸部材８の主搭載部１３ａにより支持されると共に、長手方向端部６ａを補助支持部材１２の補助搭載部１３ｂにより支持される。従って、主搭載部１３ａと補助搭載部１３ｂにより床パネル２の側壁底部を長手方向の全長にわたり好適に支持することができる。
【００３６】
（梁装置の第２使用例）
図６は、梁装置４の第２使用例を示しており、支柱３の上部には継手２２を介して延長支柱３ａが立設される。この場合、床パネル２の側壁６は、延長支柱３ａに臨む隅部に面取り壁６ｂが形成され、延長支柱３ａに干渉しないように構成されており、図示のように、側壁６の底部の長手方向端部６ａは、延長支柱３ａまで達しない。
【００３７】
そこで、第２使用例の場合、梁装置４は、上述のように補助支持部材１２を収縮させた状態で、梁軸部材７の固着手段１０を支柱３に固着した後、図６に示すように、伸縮管１５を中間伸長位置まで伸長させると共に係止片１９を第２係止孔２０ｂに挿通係止することによりロックし、補助搭載部１３ｂを固着手段１０の上方空間となる第２位置Ｐ２に位置させられる。
【００３８】
従って、この状態で床パネル２を梁装置４に搭載すると、床パネル２の側壁底部は、長手方向にわたり支持軸部材８の主搭載部１３ａにより支持されると共に、面取り壁６ｂの近傍で長手方向端部６ａを補助支持部材１２の補助搭載部１３ｂにより支持される。
【００３９】
（梁装置の第３使用例）
図７は、梁装置４の第３使用例を示しており、支柱３の上部にはテーブル状の支持具２３が装着される。この場合、床パネル２は、縦横方向に隙間なく密に敷設され、隣り合う床パネル２、２の隅部を接合した状態で支持具２３の上に支持されると共に、該支持具２３に立設した挟持片２３ａにより、隅部の側壁６を接合状態で挟持される。従って、床パネル２の隅部に位置する側壁底部の長手方向端部６ａは、支持具２３により支持される。
【００４０】
そこで、第３使用例の場合、梁装置４は、上述のように補助支持部材１２を収縮させた状態で、梁軸部材７の固着手段１０を支柱３に固着した後、そのままの状態、即ち、伸縮管１５を収縮させ、係止片１９を第１係止孔２０ａに挿通係止することによりロックし、補助搭載部１３ｂを第１位置Ｐ１に位置させたままの状態で使用される。つまり、補助搭載部１３ｂは、支持具２３に干渉しない位置に停止させられた状態で使用される。
【００４１】
従って、この状態から、床パネル２を梁装置４に搭載すると、床パネル２の側壁底部は、長手方向にわたり支持軸部材８の主搭載部１３ａと補助支持部材１２の補助搭載部１３ｂにより支持され、長手方向端部６ａは、支持具２３により支持される。
【符号の説明】
【００４２】
１  支持構造体
２  床パネル
３  支柱
３ａ  延長支柱
４  梁装置
５  床板
６  側壁
６ａ  側壁底部の長手方向端部
６ｂ  面取り壁
７  梁軸部材
８  支持軸部材
９ａ、９ｂ  連結片
１０  固着手段
１１  フランジ
１２  補助支持部材
１３ａ  主搭載部
１３ｂ  補助搭載部
１４  係合片
１５  伸縮管
１６  座部材
１７  ストッパ
１８  伸縮ロック装置
１９  係止片
２０ａ、２０ｂ、２０ｃ  係止孔
２１  スプリング
２２  継手
２３  支持具
２３ａ  挟持片
【図１】
2018053425.tif 000003
【図２】
2018053425.tif 000004
【図３】
2018053425.tif 000005
【図４】
2018053425.tif 000006
【図５】
2018053425.tif 000007
【図６】
2018053425.tif 000008
【図７】
2018053425.tif 000009